(57)【要約】【課題】本発明は容器内に収容した発振回路基板による発振波を効率的に外部へ放出し、且つ比較的遠方まで到達して蚊除け効果を発揮できるようにした蚊撃退器を提供する。【解決手段】空洞構造の容器１の該空洞３内に可聴周波数又は超可聴周波数で発振する発振回路基板２を内蔵した蚊撃退器であって、上記空洞３内に上記発振回路基板２を架空支持して同空洞３を同基板２上位の上部空洞４と同基板２下位の下部空洞５とに画成し、上記容器１の前端側に上記上部空洞４及び下部空洞５を開放せる可聴周波数又は超可聴周波数の第一発振波放出口６を設けると共に、上記容器１の後端側に上記上部空洞４及び下部空洞５を開放せる可聴周波数又は超可聴周波数の第二発振波放出口７を設けた蚊撃退器。【選択図】        図５
2008022806.tif 000002
【特許請求の範囲】
【請求項１】
空洞構造の容器の該空洞内に可聴周波数又は超可聴周波数で発振する発振回路基板を内蔵した蚊撃退器であって、上記空洞内に上記発振回路基板を架空支持して同空洞を同基板上位の上部空洞と同基板下位の下部空洞とに画成し、上記容器の前端側に上記上部空洞及び下部空洞を開放せる可聴周波数又は超可聴周波数の第一発振波放出口を設けると共に、上記容器の後端側に上記上部空洞及び下部空洞を開放せる可聴周波数又は超可聴周波数の第二発振波放出口を設けたことを特徴とする蚊撃退器。
【請求項２】
上記容器の空洞を形成する対向する側壁に上記発振回路基板の対向する二辺を架空支持するガイドを設け、上記発振回路基板を該ガイドを介して上記第一発振波放出口又は第二発振波放出口を通し抜き差し可にしたことを特徴とする請求項１記載の蚊撃退器。
【請求項３】
上記発振回路基板に発振動作時に点灯するランプを設けたことを特徴とする請求項１又は２記載の蚊撃退器。
【発明の詳細な説明】
【技術分野】
【０００１】
本発明は空洞構造の容器内に可聴周波数又は超可聴周波数で発振する発振回路基板を内蔵した蚊撃退器に関する。
【背景技術】
【０００２】
特許文献１は容器内に害虫が忌避する超可聴周波数で発振する発振回路基板を内蔵した害虫防除器を提案している。
【０００３】
【特許文献１】特表２０００−５０７８３０号公報
【発明の開示】
【発明が解決しようとする課題】
【０００４】
上記特許文献１はこれを具体化するための機械的構造を何ら教示していないが、外部に超可聴周波数の発振波を放出するため、容器に発振波放出口を設ける必要があると推測されるが、例えば発振回路基板と対向する発振波放出口を設けたとしても、発振波が容器内に籠もってしまい、外部への空中伝播が減殺され、容器が存在する周辺においては蚊撃退効果を有するが、比較的離れた場所においては効果が大幅に減殺される問題を有している。
【課題を解決するための手段】
【０００５】
本発明は空洞構造の容器の該空洞内に可聴周波数又は超可聴周波数で発振する発振回路基板を内蔵した蚊撃退器であって、上記空洞内に上記発振回路基板を架空支持して同空洞を同基板上位の上部空洞と同基板下位の下部空洞とに画成し、上記容器の前端側に上記上部空洞及び下部空洞を開放せる可聴周波数又は超可聴周波数の第一発振波放出口を設けると共に、上記容器の後端側に上記上部空洞及び下部空洞を開放せる可聴周波数又は超可聴周波数の第二発振波放出口を設けた蚊撃退器を提供するものである。
【０００６】
上記発振回路基板を架空支持する手段として、上記容器の空洞を形成する対向する側壁に上記発振回路基板の対向する二辺を架空支持するガイドを設け、上記発振回路基板を該ガイドを介して上記第一発振波放出口又は第二発振波放出口を通し抜き差し可にする。
【０００７】
又上記発振回路基板に発振動作時に点灯するランプを設ける。
【発明の効果】
【０００８】
本発明に係る蚊撃退器によれば、空洞内に架空支持された発振源たる発振回路基板の発振波が上部空洞と下部空洞内で共鳴増幅され、これを第一発振波放出口と第二発振波放出口から効率的に放出し、比較的遠方までその蚊撃退効果を及ぼすことができる。加えて発振回路基板の発熱を外部へ適切に放熱できる。
【０００９】
又第一、第二発振波放出口相互間における上部空洞と下部空洞を通しての活性な空気の流れを誘起し、上記発振波の比較的遠方までの到達を有効に惹起せしめることができる。
【００１０】
又発振回路基板はガイドを介して抜き差し可能であり、発振回路基板の組立と交換が容易で、電池交換作業が容易である。
【００１１】
又発振動作時に点灯するランプによって発振動作中であることを認識し、夜間における存在を明示することができる。
【発明を実施するための最良の形態】
【００１２】
以下本発明を実施するための最良の形態を図１乃至図８に基づき説明する。本発明は空洞構造の容器１内に可聴周波数又は超可聴周波数で発振する発振回路基板２を内蔵した蚊撃退器に関する。
【００１３】
上記空洞構造の容器１は動物又は植物を模した外形を有する容器であり、実施形態においては、蚊取り線香の容器として周知な豚の模擬外形を有する容器を適例として示している。
【００１４】
空洞構造の容器１、即ち豚の模擬外形を有する容器１を空洞構造にし、該空洞３内に可聴周波数又は超可聴周波数で発振する発振回路基板２を内蔵する。
【００１５】
発振回路基板２は上記空洞３内に架空支持して、同空洞３を同基板２上位の上部空洞４と同基板２下位の下部空洞５とに画成する。
【００１６】
上記容器１の前端側に上記上部空洞４及び下部空洞５を開放せる可聴周波数又は超可聴周波数の第一発振波放出口６を設けると共に、上記容器１の後端側に上記上部空洞４及び下部空洞５を開放せる可聴周波数又は超可聴周波数の第二発振波放出口７を設ける。
【００１７】
上記第一発振波放出口６は豚の口に相当し、上記第二発振波放出口７は豚の尻側に形成する。好ましくは第一発振波放出口６と第二発振波放出口７は１８０度反対側において対設し、空洞３を容器１の前後において外部に開放する。
【００１８】
上記豚の模擬外形を有する容器１は合成樹脂製の一体成形品又は陶磁器製であり、容器１の上面に該容器１を持ち運びするための吊り手１１を設ける。
【００１９】
上記容器１の空洞３内に上記発振回路基板２を架空支持する手段として、空洞１を形成する対向する側壁８、即ち容器１の対向する側壁８の内側面に上記発振回路基板２の対向する二辺を架空支持するガイド９を設け、上記発振回路基板２を該ガイド９を介して上記第一発振波放出口６又は第二発振波放出口７を通し抜き差し可能な構造にする。
【００２０】
上記ガイド９として、例えば空洞３の対向する内側壁８に前後に延在する、即ち第一、第二発振波放出口６、７に向け延在する一対のガイド溝９を平行に設け、該ガイド溝９の後端を第二発振波放出口７において開放する。
【００２１】
即ち容器１の後端面で開放せしめる。好ましくは、上記ガイド溝９の後端を第二発振波放出口７が開口する後端面において開放し、同ガイド溝９の前端を第一発振波放出口６に到達しない位置で閉鎖し終端する。
【００２２】
上記発振回路基板２は上記第二発振波放出口７を通じ上記ガイド溝９内に差し込み、同基板２の前端がガイド溝９の閉鎖端に当接した位置で同基板２の対向する二辺を空洞３内に架空支持する。回路基板２は対向する二辺がガイド溝９と摩擦係合し、不用意な脱落を防止する。
【００２３】
上記発振回路基板２は上記ガイド９上を滑らせながら、第二発振波放出口７から抜き差し可能であり、発振回路基板２の組立と交換を容易にし、電池交換作業を容易にする。
【００２４】
上記発振回路基板２は既知のトランジスタ、抵抗、コンデンサー等から成る発振回路を１２と、該発振回路１２の電気的発振を機械的発振に変換する圧電振動板１３と、リチウム電池等の電池１４を回路基板２に対し抜き差し可能に搭載し、且つ容器１内から発振回路基板２と一体に抜き差し可能にする。
【００２５】
上記電池１４は例えば図示のように、発振回路基板２の下面にバンド形の電池ホルダー２０を取り付け、該バンド内に電池１４を押し込んで保持せしめる。
【００２６】
又発振回路基板２の後端に発振回路１２をＯＮ、ＯＦＦする電源スイッチ１５を設ける。該スイッチ１５は上記第二発振波放出口７において露出し、外部より手操作可能であり、発振回路基板２に付属した状態で一体に抜き差し可能である。
【００２７】
好ましい例示として、上記発振回路基板２に発振動作時に点灯するランプ１０を設ける。該ランプ１０は上記電源スイッチ１５をＯＮにした時に点灯し、発振回路１２が作動中であることを使用者に知らせ、夜間に使用する時に蚊撃退器の存在を使用者に知らせる。点灯は点滅を含む。
【００２８】
拡声器、即ちスピーカーの機能を果たす圧電振動板１３は既知の通り、圧電板１７と振動板１６の貼り合わせ体から成り、該振動板１６の外表面に蚊除け薬剤１８を塗布する。
【００２９】
上記蚊除け薬剤１８は既知のピレスロイド系の薬剤が使用可能であり、これをペースト状にし、上記振動板１６の表面に塗布する。
【００３０】
上記蚊除け薬剤１８は圧電振動板１３の振動熱と振動の衝撃により活性化され、気化又は昇華されて空洞３と第一、第二発振波放出口６、７を通じて外部へ放出される。
【００３１】
よって上記蚊撃退器は可聴周波数又は超可聴周波数による蚊撃退効果と、上記薬剤１８による蚊撃退効果とが相乗して機能し、蚊撃退効果を向上する。
【００３２】
又は他例として、振動板１６の外表面に芳香剤１９を塗布する。芳香剤１９は既知のペースト状芳香剤を上記振動板１６の表面に塗布する。
【００３３】
上記芳香剤１９は圧電振動板１３の振動熱と振動の衝撃により活性化され、気化又は昇華されて空洞３と第一、第二発振波放出口６、７を通じて外部へ放出される。
【００３４】
よって上記蚊撃退器は可聴周波数又は超可聴周波数による蚊撃退効果を発揮しつつ、上記芳香剤１９による香気を外部へ放出し、蚊除けしながら香気による癒し効果を得る。
【００３５】
蚊が忌避性を示す周波数、即ち嫌蚊性周波数は各種文献によって明らかにされているが、総じて５千ヘルツ〜５万ヘルツの範囲において使用されている。本発明においても、この範囲で周波数設定を行う。
【００３６】
上記圧電振動板１３は上面で開放する円形のケース２１内に収容し、該ケース２１を以って発振回路基板２の上面に取り付ける。
【００３７】
従って振動板１６も円形であり、その振動面（上面）がケース２１の開放面において開放されるように水平に設置し、該水平な上面（開放面）に蚊除け薬剤１８又は芳香剤１９を塗布し、塗布した蚊除け薬剤１８又は芳香剤１９が振動板１６外へ流出しないようにする。
【００３８】
上記容器１の空洞３内面には上記ガイド９と平行にガイド９′を設け、ガイド９を案内として上記発振回路基板２の二辺を滑入せしめると同時に、ガイド９′内にケース２１の外側端を入れ込み、発振回路基板２と圧電振動板１３との天地の方向性を設定し、容器１を所定の場所に設置した時に、常に振動板１６が発振回路基板２の上面において上方へ向け開放し且つ水平に設置されるようにする。これによって発振回路基板２の天地逆挿入を防止する。
【図面の簡単な説明】
【００３９】
【図１】蚊撃退器を構成する容器と発振回路基板を分解して示す斜視図。
【図２】図１における縦断面図。
【図３】図１における横断面図。
【図４】蚊撃退器を構成する容器の空洞内に発振回路基板を組み込んだ状態を示す背面図。
【図５】図４における縦断面図。
【図６】図４における上面側から見た横断面図。
【図７】図４における底面側から見た横断面図。
【図８】圧電振動板の断面図。
【符号の説明】
【００４０】
１…容器、２…発振回路基板、３…空洞、４…上部空洞、５…下部空洞、６…第一発振波放出口、７…第二発振波放出口、８…側壁、９…ガイド、ガイド溝、９′…ガイド、１０…ランプ、１１…吊り手、１２…発振回路、１３…圧電振動板、１４…電池、１５…電源スイッチ、１６…振動板、１７…圧電板、１８…蚊除け薬剤、１９…芳香剤、２０…電池ホルダー、２１…ケース。
【図１】
2008022806.tif 000003
【図２】
2008022806.tif 000004
【図３】
2008022806.tif 000005
【図４】
2008022806.tif 000006
【図５】
2008022806.tif 000007
【図６】
2008022806.tif 000008
【図７】
2008022806.tif 000009
【図８】
2008022806.tif 000010